【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
ＶｏＩＰ網に接続された拠点から既設電話網に接続された拠点へ呼接続する電話網システムであって、
ゲートキーパ装置、既設電話網に接続された既設電話網接続ゲートウェイ、を備え、
前記ゲートキーパ装置は、接続経路情報に基づいて前記ＶｏＩＰ網に接続された前記拠点の電話機からダイヤル発信された局番のＩＰアドレスが検出できない場合、ダイヤル発信された前記拠点の発信グループを検索し、前記発信グループに属する仮想局番を検出して前記既設電話網接続ゲートウェイを特定し、ダイヤル発信呼を、検出した仮想局番の前記既設電話網接続ゲートウェイに着信させて透過し、前記既設電話網に接続する制御を行うことを特徴とする電話網システム。
【請求項２】
１台のゲートキーパ装置を前記ＶｏＩＰ網に配置して接続経路情報を集中管理するとともに、前記ＶｏＩＰ網に接続された各拠点に前記既設電話網接続ゲートウェイを配置したことを特徴とする請求項１記載の電話網システム。
【請求項３】
前記ＶｏＩＰ網に接続された各拠点に前記ゲートキーパ装置を配置して接続経路情報を分散管理するとともに、前記ＶｏＩＰ網に接続された各拠点に前記既設電話網接続ゲートウェイを配置したことを特徴とする請求項１記載の電話網システム。
【請求項４】
前記ＶｏＩＰ網に接続された各拠点に前記ゲートキーパ装置を配置して接続経路情報を分散管理するとともに、前記既設電話網接続ゲートウェイを前記ＶｏＩＰ網に接続された複数の拠点で共有することを特徴とする請求項１記載の電話網システム。
【請求項５】
ＶｏＩＰ網に接続された拠点の電話機から既設電話網に接続された拠点の電話機への呼接続を制御するゲートキーパ装置であって、
前記ＶｏＩＰ網に接続された拠点の電話機からダイヤル発信された局番のＩＰアドレスが検出できない場合、ダイヤル発信された前記拠点の発信グループを検索し、発信グループに属する仮想局番の既設電話網接続ゲートウェイを指定し、ダイヤル発信呼を仮想局番の既設電話網接続ゲートウェイを透過させて前記既設電話網に供給させる制御を行う接続経路管理手段を備えたことを特徴とするゲートキーパ装置。
【請求項６】
前記接続経路管理手段は、アドレス管理テーブル、発信グループリストおよび既設電話網接続ゲートウェイ・リストの接続経路情報を格納する記憶手段、前記記憶手段に格納された接続経路情報を解析し、既設電話網接続ゲートウェイの仮想局番を検出するデータ解析・検出手段、前記データ解析・検出手段が検出した仮想局番に基づいてダイヤル発信呼の接続経路を制御する経路制御手段、を備えたことを特徴とする請求項５記載のゲートキーパ装置。
【請求項７】
前記アドレス管理テーブルは、局番に対応したＩＰアドレスのデータで形成することを特徴とする請求項６記載のゲートキーパ装置。
【請求項８】
前記発信グループリストは、局番に対応した発信グループのデータで形成することを特徴する請求項６記載のゲートキーパ装置。
【請求項９】
前記既設電話網接続ゲートウェイ・リストは、発信グループに対応した既設電話網接続ゲートウェイの仮想局番のデータ形成することを特徴する請求項６記載のゲートキーパ装置。
【請求項１０】
ＶｏＩＰ網に接続された拠点の電話機から既設電話網に接続された拠点の電話機へ呼接続するゲートキーパ装置の呼接続方法であって、
発信要求を受信するステップと、
前記発信要求に含まれる発信先の局番を基に発信先のＩＰアドレスを検索するステップと、
前記発信先のＩＰアドレスを検索できなかった場合に、
前記局番から発信元が属する発信グループを検出するステップと、
前記発信グループから前記発信元を管理する既設電話網接続ゲートウェイの仮想局番を特定するステップと、
前記特定された既設電話網接続ゲートウェイに接続するステップと、
前記発信要求を前記接続した既設電話網接続ゲートウェイに着信させるステップと、を備えたことを特徴とするゲートキーパ装置の呼接続方法。
【請求項１１】
ＶｏＩＰ網に接続された拠点の電話機から既設電話網に接続された拠点の電話機へ呼接続するゲートキーパ装置の呼接続方法であって、
発信要求を受信するステップと、
前記発信要求に含まれる発信先の局番を基に発信先のＩＰアドレスを検索するステップと、
前記発信先のＩＰアドレスを検索できなかった場合に、他のゲートキーパ装置に前記発信先のＩＰアドレスを問い合わせるステップと、
前記他のゲートキーパ装置から前記発信先のＩＰアドレスを得られなかった場合に、前記局番から発信元が属する発信グループを検出するステップと、
前記発信グループから前記発信元を管理する既設電話網接続ゲートウェイの仮想局番を特定するステップと、
前記特定された既設電話網接続ゲートウェイに接続するステップと、
前記発信要求を前記接続した既設電話網接続ゲートウェイに着信させるステップと、を備えたことを特徴とするゲートキーパ装置の呼接続方法。
【請求項１２】
他のゲートキーパ装置が管理する拠点内に、前記既設電話網接続ゲートウェイが位置することを特徴とする請求項１０または請求項１１記載のゲートキーパ装置の呼接続方法。
【手続補正２】
【補正対象書類名】明細書
【補正対象項目名】００２６
【補正方法】変更
【補正の内容】
【００２６】
また、この発明に係るゲートキーパ装置の呼接続方法は、ＶｏＩＰ網に接続された拠点の電話機から既設電話網に接続された拠点の電話機へ呼接続するゲートキーパ装置の呼接続方法であって、発信要求を受信するステップと、前記発信要求に含まれる発信先の局番を基に発信先のＩＰアドレスを検索するステップと、前記発信先のＩＰアドレスを検索できなかった場合に、前記局番から発信元が属する発信グループを検出するステップと、前記発信グループから前記発信元を管理する既設電話網接続ゲートウェイの仮想局番を特定するステップと、前記特定された既設電話網接続ゲートウェイに接続するステップと、前記発信要求を前記接続した既設電話網接続ゲートウェイに着信させるステップとを備えたことを特徴とする。
【手続補正３】
【補正対象書類名】明細書
【補正対象項目名】００２７
【補正方法】変更
【補正の内容】
【００２７】
この構成により、アドレス管理テーブル、発信グループリストおよび既設電話網接続ゲートウェイ・リストから既存電話網に接続する既設電話網接続ゲートウェイを特定し、ダイヤル発信呼を既設電話網接続ゲートウェイを介して既設電話網に送信することができ、ＶｏＩＰ網に既設電話網の番号計画テーブルを設けることなく、既設電話網にもＶｏＩＰ網の番号計画テーブルを設ける必要をなくし、単純な構成で既設電話網とＶｏＩＰ網とが混在する専用電話網を容易に構築可能とし、利便性の向上を図ることができる。
【手続補正４】
【補正対象書類名】明細書
【補正対象項目名】００２８
【補正方法】変更
【補正の内容】
【００２８】
この発明に係るゲートキーパ装置の呼接続方法は、ＶｏＩＰ網に接続された拠点の電話機から既設電話網に接続された拠点の電話機へ呼接続するゲートキーパ装置の呼接続方法であって、発信要求を受信するステップと、前記発信要求に含まれる発信先の局番を基に発信先のＩＰアドレスを検索するステップと、前記発信先のＩＰアドレスを検索できなかった場合に、他のゲートキーパ装置に前記発信先のＩＰアドレスを問い合わせるステップと、前記他のゲートキーパ装置から前記発信先のＩＰアドレスを得られなかった場合に、前記局番から発信元が属する発信グループを検出するステップと、前記発信グループから前記発信元を管理する既設電話網接続ゲートウェイの仮想局番を特定するステップと、前記特定された既設電話網接続ゲートウェイに接続するステップと、前記発信要求を前記接続した既設電話網接続ゲートウェイに着信させるステップとを備えたことを特徴とする。
【手続補正５】
【補正対象書類名】明細書
【補正対象項目名】００２９
【補正方法】変更
【補正の内容】
【００２９】
この構成により、自拠点のゲートキーパ装置に局番に対応するＩＰアドレスが存在しない場合には、他の拠点のゲートキーパ装置に局番に対応するＩＰアドレスの有無を問い合わせることができ、ゲートキーパ装置の負荷を分散して軽減することができる。
【手続補正６】
【補正対象書類名】明細書
【補正対象項目名】００３０
【補正方法】変更
【補正の内容】
【００３０】
この発明に係るゲートキーパ装置の呼接続方法は、他のゲートキーパ装置が管理する拠点内に、前記既設電話網接続ゲートウェイが位置することを特徴とする。
【手続補正７】
【補正対象書類名】明細書
【補正対象項目名】００３１
【補正方法】変更
【補正の内容】
【００３１】
この構成により、他拠点内の既設電話網接続ゲートウェイを利用することで、自拠点内の既設電話網接続ゲートウェイを削減して構成の単純化を図ることができる。
【手続補正８】
【補正対象書類名】明細書
【補正対象項目名】０１００
【補正方法】変更
【補正の内容】
【０１００】
また、この発明に係るゲートキーパ装置の呼接続方法は、発信要求を受信するステップと、前記発信要求に含まれる発信先の局番を基に発信先のＩＰアドレスを検索するステップと、前記発信先のＩＰアドレスを検索できなかった場合に、前記局番から発信元が属する発信グループを検出するステップと、前記発信グループから前記発信元を管理する既設電話網接続ゲートウェイの仮想局番を特定するステップと、前記特定された既設電話網接続ゲートウェイに接続するステップと、前記発信要求を前記接続した既設電話網接続ゲートウェイに着信させるステップとを備えたので、アドレス管理テーブル、発信グループリストおよび既設電話網接続ゲートウェイ・リストから既存電話網に接続する既設電話網接続ゲートウェイを特定し、ダイヤル発信呼を既設電話網接続ゲートウェイを介して既設電話網に送信することができ、ＶｏＩＰ網に既設電話網の番号計画テーブルを設けることなく、既設電話網にもＶｏＩＰ網の番号計画テーブルを設ける必要をなくし、単純な構成で既設電話網とＶｏＩＰ網とが混在する専用電話網を容易に構築可能とし、利便性の向上を図ることができる。
【手続補正９】
【補正対象書類名】明細書
【補正対象項目名】０１０１
【補正方法】変更
【補正の内容】
【０１０１】
さらに、この発明に係るゲートキーパ装置の呼接続方法は、発信要求を受信するステップと、前記発信要求に含まれる発信先の局番を基に発信先のＩＰアドレスを検索するステップと、前記発信先のＩＰアドレスを検索できなかった場合に、他のゲートキーパ装置に前記発信先のＩＰアドレスを問い合わせるステップと、前記他のゲートキーパ装置から前記発信先のＩＰアドレスを得られなかった場合に、前記局番から発信元が属する発信グループを検出するステップと、前記発信グループから前記発信元を管理する既設電話網接続ゲートウェイの仮想局番を特定するステップと、前記特定された既設電話網接続ゲートウェイに接続するステップと、前記発信要求を前記接続した既設電話網接続ゲートウェイに着信させるステップとを備えたので、自拠点のゲートキーパ装置に局番に対応するＩＰアドレスが存在しない場合には、他の拠点のゲートキーパ装置に局番に対応するＩＰアドレスの有無を問い合わせることができ、ゲートキーパ装置の負荷を分散して軽減することができる。
【手続補正１０】
【補正対象書類名】明細書
【補正対象項目名】０１０２
【補正方法】変更
【補正の内容】
【０１０２】
また、この発明に係るゲートキーパ装置の呼接続方法は、他のゲートキーパ装置が管理する拠点内に、前記既設電話網接続ゲートウェイが位置するので、他拠点内の既設電話網接続ゲートウェイを利用することで、自拠点内の既設電話網接続ゲートウェイを削減して構成の単純化を図ることができる。